(57)【特許請求の範囲】
【請求項１】
固体撮像素子に像を形成するレンズ４枚構成の撮像レンズであって、物体側から順に、正の第１レンズと、開口絞りと、正の第２レンズと、負の第３レンズと、負の第４レンズとで構成され、以下の条件式(1b)及び(3b)を満足することを特徴とする撮像レンズ；
0.8＜f／f1＜1.2  …(1b)
0.1＜T4／f＜0.2  …(3b)
ただし、
f：全系の焦点距離、
f1：第１レンズの焦点距離、
T4：第４レンズの軸上レンズ厚み、
である。
【請求項２】
固体撮像素子に像を形成するレンズ４枚構成の撮像レンズであって、物体側から順に、正の前群と、開口絞りと、後群とから成り、前記前群が正の第１レンズ１枚で構成され、前記後群が物体側から順に、正の第２レンズと、負の第３レンズと、負の第４レンズと、の３枚で構成され、以下の条件式(2b)及び(3b)を満足することを特徴とする撮像レンズ；
-0.5＜f／fR＜0.03  …(2b)
0.1＜T4／f＜0.2  …(3b)
ただし、
f：全系の焦点距離、
fR：後群の焦点距離、
T4：第４レンズの軸上レンズ厚み、
である。
【請求項３】
前記第１レンズが物体側に凸の正レンズから成り、前記第２レンズが像側に凸の正メニスカスレンズから成り、前記第３レンズが像側に凸の負メニスカスレンズから成り、前記第４レンズが少なくとも像側面に非球面を有する像側に凹の負レンズから成ることを特徴とする請求項１又は２記載の撮像レンズ。
【請求項４】
前記第１レンズのみがガラスレンズであり、それ以外のレンズはすべてプラスチックレンズであることを特徴とする請求項１〜３のいずれか１項に記載の撮像レンズ。
【発明の詳細な説明】
【０００１】
【発明の属する技術分野】
本発明は撮像レンズに関するものであり、更に詳しくは被写体の映像を固体撮像素子で取り込むデジタル入力機器(デジタルスチルカメラ，デジタルビデオカメラ等)に適した、高性能でコンパクトな撮像レンズに関するものである。
【０００２】
【従来の技術】
近年、パーソナルコンピュータ等の普及に伴い、手軽に画像情報をデジタル機器に取り込むことができるデジタルスチルカメラやデジタルビデオカメラ等(以下単に「デジタルカメラ」という。)が個人ユーザーレベルで普及しつつある。
このようなデジタルカメラは、今後も画像情報の入力機器として益々普及することが予想される。
【０００３】
また、デジタルカメラに搭載されるＣＣＤ(Charge Coupled Device)等の固体撮像素子の小型化が進展してきており、それに伴ってデジタルカメラにも一層の小型化が求められている。このため、デジタル入力機器において最大の容積を占める撮像レンズにも、コンパクト化が強く要望されている。撮像レンズを小型化するには固体撮像素子のサイズを小さくするのが最も容易な方法ではあるが、そのためには受光素子のサイズを小さくする必要があり、固体撮像素子の製造難易度が上がるとともに撮像レンズに要求される性能も高くなる。
【０００４】
一方、固体撮像素子のサイズをそのままにして撮像レンズのサイズを小さくすると、必然的に射出瞳位置が像面に近づいてしまう。射出瞳位置が像面に近づくと、撮像レンズから射出された軸外光束が像面に対して斜めに入射するため、固体撮像素子の前面に設けられているマイクロレンズの集光性能が十分に発揮されず、画像の明るさが画像中央部と画像周辺部とで極端に変化するという問題が生じることになる。この問題を解決するために撮像レンズの射出瞳位置を遠くに離そうとすると、どうしても撮像レンズ全体の大型化が避けられなくなる。
【０００５】
さらに近年の低価格化競争のため、撮像レンズにも低コスト化の要望が強くなってきている。また近年の固体撮像素子の高密度化により、撮像レンズに要求される性能もより高いものになってきている。以上のような要望に対し、固体撮像素子用のレンズ４枚構成の撮像レンズが特許文献１，２で提案されている。
【０００６】
【特許文献１】
特開２０００−１７１６９７号公報
【特許文献２】
特開２００２−２２１６５７号公報
【０００７】
【発明が解決しようとする課題】
しかし、特許文献１記載の撮像レンズは、画角が２８度程度であり、撮像レンズとして使用するには画角が充分でない。特許文献２記載の撮像レンズは、焦点距離に対して全長が約３倍程度であり、コンパクトになっていない。さらに、ガラスレンズを２枚も使用しているために高コストになってしまう。
【０００８】
本発明はこのような状況に鑑みてなされたものであって、光学性能が良好で低コストかつコンパクトな固体撮像素子用の撮像レンズを提供することを目的とする。
【０００９】
【課題を解決するための手段】
上記目的を達成するために、第１の発明の撮像レンズは、固体撮像素子に像を形成するレンズ４枚構成の撮像レンズであって、物体側から順に、正の第１レンズと、開口絞りと、正の第２レンズと、負の第３レンズと、負の第４レンズとで構成され、以下の条件式(1b)及び(3b)を満足することを特徴とする。
0.8＜f／f1＜1.2  …(1b)
0.1＜T4／f＜0.2  …(3b)
ただし、
f：全系の焦点距離、
f1：第１レンズの焦点距離、
T4：第４レンズの軸上レンズ厚み、
である。
【００１０】
第２の発明の撮像レンズは、固体撮像素子に像を形成するレンズ４枚構成の撮像レンズであって、物体側から順に、正の前群と、開口絞りと、後群とから成り、前記前群が正の第１レンズ１枚で構成され、前記後群が物体側から順に、正の第２レンズと、負の第３レンズと、負の第４レンズと、の３枚で構成され、以下の条件式(2b)及び(3b)を満足することを特徴とする。
-0.5＜f／fR＜0.03  …(2b)
0.1＜T4／f＜0.2  …(3b)
ただし、
f：全系の焦点距離、
fR：後群の焦点距離、
T4：第４レンズの軸上レンズ厚み、
である。
【００１１】
第３の発明の撮像レンズは、上記第１又は第２の発明の構成において、前記第１レンズが物体側に凸の正レンズから成り、前記第２レンズが像側に凸の正メニスカスレンズから成り、前記第３レンズが像側に凸の負メニスカスレンズから成り、前記第４レンズが少なくとも像側面に非球面を有する像側に凹の負レンズから成ることを特徴とする。
【００１２】
第４の発明の撮像レンズは、上記第１〜第３のいずれか１つの発明の構成において、前記第１レンズのみがガラスレンズであり、それ以外のレンズはすべてプラスチックレンズであることを特徴とする。
【００１４】
【発明の実施の形態】
以下、本発明に係る撮像レンズの実施の形態を、図面を参照しつつ説明する。
図１〜図４に、第１〜第４の実施の形態のレンズ構成をそれぞれ光学断面で示す。各実施の形態の撮像レンズはいずれも、固体撮像素子(例えばＣＣＤ)に対して光学像を形成する撮像用(例えばデジタルカメラ用)の単焦点レンズである。そして、物体側から順に、正の前群(GrF)と、開口絞り(ST)と、負又は正の後群(GrR)とから成っており、その像側には光学的ローパスフィルター等に相当する平行平面板状のガラスフィルター(GF)が配置されている。前群(GrF)は、正レンズから成る第１レンズ(L1)１枚で構成されており、後群(GrR)は、物体側から順に、正レンズから成る第２レンズ(L2)と、負レンズから成る第３レンズ(L3)と、負レンズから成る第４レンズ(L4)との３枚で構成されている。つまり各実施の形態の撮像レンズは、物体側から順に、正の第１レンズ(L1)と、開口絞り(ST)と、正の第２レンズ(L2)と、負の第３レンズ(L3)と、負の第４レンズ(L4)と、のレンズ４枚構成になっている。なお、各レンズ構成図(図１〜図４)中、ri(i=1,2,3,...)が付された面は物体側から数えてi番目の面であり、riに*印が付された面は非球面である。
【００１５】
各実施の形態のレンズ構成を更に詳しく説明する。第１〜第３の実施の形態において、第１レンズ(L1)は物体側に凸面を向けたメニスカス形状を有する正のガラスレンズであり、第２レンズ(L2)は像側に凸面を向けたメニスカス形状を有する正のプラスチックレンズであり、第３レンズ(L3)は像側に凸面を向けたメニスカス形状を有する負のプラスチックレンズであり、第４レンズ(L4)は両凹形状を有する負のプラスチックレンズである。そして、前群(GrF)は正のパワーを有しており、後群(GrR)は負のパワーを有している。第４の実施の形態において、第１レンズ(L1)は両凸形状を有する正のガラスレンズであり、第２レンズ(L2)は像側に凸面を向けたメニスカス形状を有する正のプラスチックレンズであり、第３レンズ(L3)は像側に凸面を向けたメニスカス形状を有する負のプラスチックレンズであり、第４レンズ(L4)は両凹形状を有する負のプラスチックレンズである。
そして、前群(GrF)，後群(GrR)共に正のパワーを有している。
【００１６】
各実施の形態のように、物体側から順に、物体側に凸の正レンズと、開口絞り(ST)と、像側に凸の正メニスカスレンズと、像側に凸の負メニスカスレンズと、少なくとも像側面に非球面を有する像側に凹の負レンズと、のレンズ４枚構成を採用することにより、高い光学性能と適正な射出瞳位置を実現しながらレンズ系のコンパクト化及び低コスト化を達成することができる。また、各実施の形態のようにガラスレンズとプラスチックレンズを適切に配置すること、つまり第１レンズ(L1)のみをガラスレンズで構成し、それ以外のレンズ(L2〜L4)をすべてプラスチックレンズで構成することによって、光学性能が良好で低コストかつコンパクトな撮像レンズを実現することができる。また、第１レンズ(L1)のみをガラスレンズで構成することにより、温度変化に対して性能劣化が少なくなり広い温度範囲で光学性能が良好となる。
【００１７】
各実施の形態のように、パワー(焦点距離の逆数で定義される量)の配置が正・正・負・負のレンズ４枚タイプにおいて、固体撮像素子用の撮像レンズに必要な射出瞳位置，光学性能，コスト，コンパクト性，製造性等を良好かつ効果的にバランスさせるための条件を以下に説明する。まず、各実施の形態の撮像レンズが満足すべき条件式、つまり各実施の形態のようなタイプの撮像レンズにおいて満たすことが望ましい条件式を説明する。ただし、以下に説明する全ての条件式を同時に満たす必要はなく、個々の条件式を光学構成に応じてそれぞれ単独に満足すれば、対応する作用・効果を達成することは可能である。もちろん、複数の条件式を満足する方が、光学性能，小型化，製造・組立等の観点からより望ましいことはいうまでもない。
【００１８】
以下の条件式(1)を満足することが望ましい。
0.5＜f／f1＜1.6  …(1)
ただし、
f：全系の焦点距離、
f1：第１レンズ(L1)の焦点距離、
である。
【００１９】
条件式(1)は、第１レンズ(L1)に関して主に全長と収差とをバランスさせるための条件範囲を規定している。条件式(1)の下限を越えると、収差補正には有利になるが、全長の増大を招いてしまう。逆に、条件式(1)の上限を越えると、全長の短縮には有利になるが、収差劣化、特に歪曲収差と像面湾曲の劣化が著しくなる。また条件式(1)は、第１レンズ(L1)を構成するガラスレンズに関して、温度変化による性能変化と各収差性能とをバランスさせるための条件式でもある。
条件式(1)の下限を越えると、温度変化による性能変化が大きくなる。逆に、条件式(1)の上限を越えると、温度変化による性能変化は小さくなるが、歪曲収差や像面湾曲の劣化が著しくなる。
【００２０】
以下の条件式(1a)を満足することが望ましく、条件式(1b)を満足することが更に望ましい。条件式(1a),(1b)は、上記条件式(1)が規定している条件範囲のなかでも、上記観点等からより一層好ましい条件範囲を規定している。
0.6＜f／f1＜1.4  …(1a)
0.8＜f／f1＜1.2  …(1b)
【００２１】
各実施の形態のように、正の第１レンズ(L1)１枚から成る前群(GrF)と、開口絞り(ST)と、正・負・負の第２〜第４レンズ(L2〜L4)３枚から成る後群(GrR)と、から成る撮像レンズにおいては、以下の条件式(2)を満足することが望ましい。
-0.9＜f／fR＜0.4  …(2)
ただし、
f：全系の焦点距離、
fR：後群(GrR)の焦点距離、
である。
【００２２】
条件式(2)は、後群(GrR)に関して主に全長と収差とをバランスさせるための条件範囲を規定している。条件式(2)の上限を越えると、収差補正には有利になるが、全長の増大を招いてしまう。逆に、条件式(2)の下限を越えると、全長の短縮には有利になるが、収差劣化、特に歪曲収差と像面湾曲の劣化が著しくなる。
【００２３】
以下の条件式(2a)を満足することが望ましく、条件式(2b)を満足することが更に望ましい。条件式(2a),(2b)は、上記条件式(2)が規定している条件範囲のなかでも、上記観点等からより一層好ましい条件範囲を規定している。
-0.7＜f／fR＜0.1  …(2a)
-0.5＜f／fR＜0.03  …(2b)
【００２４】
以下の条件式(3)を満足することが望ましい。
0.05＜T4／f＜0.4  …(3)
ただし、
T4：第４レンズ(L4)の軸上レンズ厚み、
f：全系の焦点距離、
である。
【００２５】
条件式(3)は、第４レンズ(L4)に関して主に像面湾曲とレンズの製造性とをバランスさせるための条件範囲を規定している。条件式(3)の上限を越えると、像面湾曲を良好に補正することが困難になる。逆に、条件式(3)の下限を越えると、レンズの厚みが薄すぎて製造できないといった問題が生じる。
【００２６】
以下の条件式(3a)を満足することが望ましく、条件式(3b)を満足することが更に望ましい。条件式(3a),(3b)は、上記条件式(3)が規定している条件範囲のなかでも、上記観点等からより一層好ましい条件範囲を規定している。
0.07＜T4／f＜0.3  …(3a)
0.1＜T4／f＜0.2  …(3b)
【００２７】
以下の条件式(4)を満足することが望ましい。
｜f／f3｜＜0.6  …(4)
ただし、
f：全系の焦点距離、
f3：第３レンズ(L3)の焦点距離、
である。
【００２８】
条件式(4)は、第３レンズ(L3)に関して主にコマ収差と像面湾曲とをバランスさせるための条件範囲を規定している。条件式(4)の条件範囲を越えると、コマ収差と像面湾曲が悪化し、画像周辺への悪影響が大きくなる。
【００２９】
以下の条件式(4a)を満足することが望ましく、条件式(4b)を満足することが更に望ましい。条件式(4a),(4b)は、上記条件式(4)が規定している条件範囲のなかでも、上記観点等からより一層好ましい条件範囲を規定している。
｜f／f3｜＜0.4  …(4a)
｜f／f3｜＜0.3  …(4b)
【００３０】
各実施の形態のように、全てのレンズの少なくとも１面が非球面であることが望ましい。第１〜第４レンズ(L1〜L4)のそれぞれに非球面を少なくとも１面設けることは、球面収差，コマ収差及び歪曲収差の補正に大きな効果がある。また、各実施の形態の撮像レンズは、入射光線を屈折作用により偏向させる屈折型レンズ(つまり、異なる屈折率を有する媒質同士の界面で偏向が行われるタイプのレンズ)のみで構成されているが、使用可能なレンズはこれに限らない。例えば、回折作用により入射光線を偏向させる回折型レンズ，回折作用と屈折作用との組み合わせで入射光線を偏向させる屈折・回折ハイブリッド型レンズ，入射光線を媒質内の屈折率分布により偏向させる屈折率分布型レンズ等を用いてもよい。ただし、媒質内で屈折率が変化する屈折率分布型レンズは、その複雑な製法がコストアップを招くため、本発明に係る撮像レンズでは４枚のレンズ(L1〜L4)として均質素材レンズを用いることが望ましい。
【００３１】
また、絞り(ST)のほかに不要光をカットするための光束規制板等を必要に応じて配置してもよく、プリズム類(例えば直角プリズム)，ミラー類(例えば平面ミラー)等を光路中に配置することにより、その光学的なパワーを有しない面(例えば、反射面，屈折面，回折面)で撮像レンズの前，後又は途中で光路を折り曲げてもよい{例えば、光軸(AX)を約９０度折り曲げるようにして光束を反射させてもよい。}。その折り曲げ位置は必要に応じて設定すればよく、光路の適正な折り曲げにより、撮像レンズが搭載されるデジタル入力機器(デジタルカメラ等)の見かけ上の薄型化やコンパクト化を達成することが可能である。
【００３２】
各実施の形態の撮像レンズは、デジタル入力機器用の小型撮像レンズとしての使用に適しており、これを光学的ローパスフィルターや固体撮像素子と組み合わせることにより、被写体の映像を光学的に取り込んで電気的な信号として出力する撮像レンズ装置を構成することができる。撮像レンズ装置は、被写体の静止画撮影や動画撮影に用いられるカメラ{例えば、デジタルカメラ；ビデオカメラ；デジタルビデオユニット，パーソナルコンピュータ，モバイルコンピュータ，携帯電話，携帯情報端末(ＰＤＡ：Personal Digital Assistant)，これらの周辺機器(マウス，スキャナー，プリンター，その他のデジタル入出力機器)等に内蔵又は外付けされるカメラ}の主たる構成要素であり、例えば、物体(被写体)側から順に、物体の光学像を形成する撮像レンズと、光学的ローパスフィルター，赤外カットフィルター等の光学フィルターと、撮像レンズにより形成された光学像を電気的な信号に変換する固体撮像素子と、で構成される。
【００３３】
したがって、上述した各実施の形態には以下の構成を有する発明(I)〜(IV)が含まれており、その構成により、良好な光学性能を有し低コストでコンパクトな撮像レンズ装置を実現することができる。そして、これをデジタルカメラ等に適用すれば、当該カメラの高性能化，高機能化，低コスト化及びコンパクト化に寄与することができる。
(I)  光学像を形成する撮像レンズと、その撮像レンズにより形成された光学像を電気的な信号に変換する撮像素子と、を備えた撮像レンズ装置であって、前記撮像レンズが、物体側から順に、正の第１レンズと、開口絞りと、正の第２レンズと、負の第３レンズと、負の第４レンズと、のレンズ４枚で構成され、前記条件式(1),(1a),(1b),(3),(3a),(3b),(4),(4a),(4b)のうちの少なくとも１つを満足することを特徴とする撮像レンズ装置。
(II)  光学像を形成する撮像レンズと、その撮像レンズにより形成された光学像を電気的な信号に変換する撮像素子と、を備えた撮像レンズ装置であって、前記撮像レンズが、物体側から順に、正の前群と、開口絞りと、後群とから成り、前記前群が正の第１レンズ１枚で構成され、前記後群が物体側から順に、正の第２レンズと、負の第３レンズと、負の第４レンズと、のレンズ３枚で構成され、前記条件式(2),(2a),(2b)のうちの少なくとも１つを満足することを特徴とする撮像レンズ装置。
(III)  光学像を形成する撮像レンズと、その撮像レンズにより形成された光学像を電気的な信号に変換する撮像素子と、を備えた撮像レンズ装置であって、前記撮像レンズが、物体側から順に、正の第１レンズと、開口絞りと、正の第２レンズと、負の第３レンズと、負の第４レンズと、のレンズ４枚で構成され、前記第１レンズが物体側に凸の正レンズから成り、前記第２レンズが像側に凸の正メニスカスレンズから成り、前記第３レンズが像側に凸の負メニスカスレンズから成り、前記第４レンズが少なくとも像側面に非球面を有する像側に凹の負レンズから成ることを特徴とする撮像レンズ装置。
(IV)  前記第１レンズのみがガラスレンズであり、それ以外のレンズはすべてプラスチックレンズであることを特徴とする上記(I)〜(III)のいずれか１つに記載の撮像レンズ装置。
【００３４】
撮像素子としては、例えば複数の画素から成るＣＣＤやＣＭＯＳ(Complementary Metal Oxide Semiconductor)センサー等の固体撮像素子が用いられ、撮像レンズにより形成された光学像は固体撮像素子により電気的な信号に変換される。
撮像レンズで形成されるべき光学像は、固体撮像素子の画素ピッチにより決定される所定の遮断周波数特性を有する光学的ローパスフィルターを通過することにより、電気的な信号に変換される際に発生するいわゆる折り返しノイズが最小化されるように、空間周波数特性が調整される。固体撮像素子で生成した信号は、必要に応じて所定のデジタル画像処理や画像圧縮処理等が施されて、デジタル映像信号としてメモリー(半導体メモリー，光ディスク等)に記録されたり、場合によってはケーブルを介したり赤外線信号に変換されたりして他の機器に伝送される。なお、撮像レンズの最終面と固体撮像素子との間に配置される光学的ローパスフィルターは、各実施の形態ではガラスフィルター(GF)で構成されているが、使用されるデジタル入力機器に応じたものであればよい。例えば、所定の結晶軸方向が調整された水晶等を材料とする複屈折型ローパスフィルターや、必要とされる光学的な遮断周波数の特性を回折効果により達成する位相型ローパスフィルター等が適用可能である。
【００３５】
【実施例】
以下、本発明を実施した撮像レンズを、コンストラクションデータ等を挙げて更に具体的に説明する。ここで挙げる実施例１〜４は、前述した第１〜第４の実施の形態にそれぞれ対応しており、第１〜第４の実施の形態を表すレンズ構成図(図１〜図４)は、対応する実施例１〜４のレンズ構成をそれぞれ示している。各実施例のコンストラクションデータにおいて、ri(i=1,2,3,...)は物体側から数えてi番目の面の曲率半径(mm)、di(i=1,2,3,...)は物体側から数えてi番目の軸上面間隔(mm)を示しており、Ni(i=1,2,3,...),νi(i=1,2,3,...)は物体側から数えてi番目の光学要素のｄ線に対する屈折率(Nd),アッベ数(νd)を示している。
全系の焦点距離(f,mm)及びＦナンバー(FNO)を他のデータとあわせて示し、また、各条件式の対応値を表１に示す。
【００３６】
曲率半径riに*印が付された面は、非球面形状の屈折光学面又は非球面と等価な屈折作用を有する面であることを示し、非球面の面形状を表わす以下の式(AS)で定義されるものとする。各実施例の非球面データを他のデータとあわせて示す。
X(H)＝(C0・H2)／{1+√(1-ε・C02・H2)}＋Σ(Ai・Hi) …(AS)
ただし、式(AS)中、
X(H)：高さHの位置での光軸(AX)方向の変位量(面頂点基準)、
H：光軸(AX)に対して垂直な方向の高さ、
C0：近軸曲率(=1／曲率半径)、
ε：２次曲面パラメータ、
Ai：i次の非球面係数(Ai=0の場合のデータは省略する。)、
である。
【００３７】
図５〜図８は、実施例１〜実施例４に対応する収差図であり、図５〜図８中、(Ａ)は球面収差図，(Ｂ)は非点収差図，(Ｃ)は歪曲収差図である{FNO:Ｆナンバー，Y':最大像高(mm)}。球面収差図において、実線(d)はｄ線、一点鎖線(g)はｇ線、二点鎖線(c)はｃ線に対する各球面収差量(mm)を表しており、破線(SC)は正弦条件不満足量(mm)を表している。非点収差図において、破線(DM)はメリディオナル面、実線(DS)はサジタル面でのｄ線に対する各非点収差(mm)を表わしている。また、歪曲収差図において実線はｄ線に対する歪曲(％)を表している。
【００３８】
0003695449.tif 000002
【００３９】
[第１面(r1)の非球面データ]
ε= 0.77503,A4= 0.25359×10-2,A6= 0.42096×10-3,A8= 0.12178×10-4,A10= 0.88312×10-5
[第２面(r2)の非球面データ]
ε= 0.16000×102,A4= 0.60134×10-2,A6=-0.12266×10-2,A8= 0.58101×10-3,A10=-0.11992×10-3
[第４面(r4)の非球面データ]
ε= 0.20000×10,A4=-0.23442×10-1,A6=-0.78672×10-2,A8= 0.75751×10-2,A10=-0.35641×10-3
[第５面(r5)の非球面データ]
ε= 0.26692,A4=-0.38537×10-2,A6= 0.64572×10-3,A8=-0.20007×10-3,A10= 0.48166×10-3
[第６面(r6)の非球面データ]
ε= 0.19644×10-1,A4=-0.20508×10-1,A6= 0.58512×10-2,A8=-0.43953×10-4,A10=-0.11200×10-3
[第９面(r9)の非球面データ]
ε=-0.24561×10,A4=-0.14117×10-1,A6= 0.65211×10-3,A8=-0.11832×10-4,A10=-0.56001×10-6
【００４０】
0003695449.tif 000003
【００４１】
[第１面(r1)の非球面データ]
ε= 0.53903,A4= 0.16932×10-2,A6=-0.11741×10-3,A8= 0.57949×10-4,A10=-0.71896×10-4
[第２面(r2)の非球面データ]
ε=-0.14000×102,A4= 0.27334×10-2,A6=-0.26419×10-2,A8=-0.75325×10-4,A10= 0.73080×10-4
[第４面(r4)の非球面データ]
ε= 0.20000×10,A4=-0.31677×10-1,A6=-0.75942×10-2,A8= 0.91685×10-2,A10= 0.41558×10-3
[第５面(r5)の非球面データ]
ε= 0.24552,A4=-0.52179×10-2,A6= 0.25889×10-2,A8= 0.68847×10-4,A10= 0.47898×10-3
[第６面(r6)の非球面データ]
ε= 0.40102×10-1,A4=-0.18898×10-1,A6= 0.54964×10-2,A8= 0.32997×10-3,A10=-0.26481×10-3
[第８面(r8)の非球面データ]
ε= 0.10000×10,A4= 0.48378×10-3,A6= 0.60634×10-3,A8= 0.19793×10-4,A10=-0.16558×10-5
[第９面(r9)の非球面データ]
ε=-0.60000×10,A4=-0.16306×10-1,A6= 0.98140×10-3,A8=-0.41108×10-4,A10= 0.65479×10-6
【００４２】
0003695449.tif 000004
【００４３】
[第１面(r1)の非球面データ]
ε= 0.71501,A4= 0.28518×10-2,A6=-0.17675×10-3,A8= 0.14775×10-3,A10=-0.18376×10-4
[第２面(r2)の非球面データ]
ε= 0.16000×102,A4= 0.63737×10-2,A6=-0.12019×10-2,A8= 0.11025×10-3,A10=-0.14631×10-4
[第４面(r4)の非球面データ]
ε= 0.17392×10,A4=-0.19887×10-1,A6=-0.18654×10-1,A8= 0.10823×10-1,A10=-0.98268×10-3
[第５面(r5)の非球面データ]
ε= 0.25841,A4=-0.41793×10-3,A6=-0.20223×10-3,A8=-0.33463×10-3,A10= 0.23695×10-3
[第６面(r6)の非球面データ]
ε= 0.00000,A4=-0.14443×10-1,A6= 0.39292×10-2,A8=-0.46118×10-4,A10=-0.77163×10-4
[第８面(r8)の非球面データ]
ε= 0.10000×10,A4= 0.39723×10-3,A6= 0.28397×10-3,A8= 0.18192×10-5,A10=-0.45178×10-6
[第９面(r9)の非球面データ]
ε=-0.55782×10,A4=-0.11687×10-1,A6= 0.76776×10-3,A8=-0.49279×10-4,A10= 0.13179×10-5
【００４４】
0003695449.tif 000005
【００４５】
[第１面(r1)の非球面データ]
ε= 0.61954,A4= 0.60178×10-2,A6=-0.12105×10-2,A8= 0.86233×10-3,A10=-0.15712×10-3
[第２面(r2)の非球面データ]
ε=-0.14000×102,A4= 0.15001×10-1,A6=-0.53033×10-2,A8= 0.12331×10-2,A10=-0.29962×10-3
[第４面(r4)の非球面データ]
ε= 0.11867×10,A4=-0.37808×10-1,A6=-0.76004×10-1,A8= 0.79954×10-1,A10=-0.14867×10-1
[第５面(r5)の非球面データ]
ε= 0.25855,A4= 0.51279×10-3,A6=-0.23878×10-2,A8=-0.21119×10-2,A10= 0.31651×10-2
[第６面(r6)の非球面データ]
ε= 0.69924,A4=-0.37699×10-1,A6= 0.16425×10-1,A8=-0.53665×10-3,A10=-0.77077×10-3
[第８面(r8)の非球面データ]
ε= 0.10000×10,A4= 0.22716×10-3,A6= 0.10393×10-2,A8= 0.34646×10-5,A10=-0.42799×10-5
[第９面(r9)の非球面データ]
ε=-0.56964×10,A4=-0.26810×10-1,A6= 0.32076×10-2,A8=-0.37062×10-3,A10= 0.17192×10-4
【００４６】
【表１】
0003695449.tif 000006
【００４７】
【発明の効果】
以上説明したように本発明によれば、光学性能が良好で低コストかつコンパクトな固体撮像素子用の撮像レンズを実現することができる。そして、本発明に係る撮像レンズを携帯電話搭載のカメラやデジタルカメラ等のデジタル入力機器に用いれば、当該機器の高性能化，高機能化，低コスト化及びコンパクト化に寄与することができる。
【図面の簡単な説明】
【図１】第１の実施の形態(実施例１)のレンズ構成図。
【図２】第２の実施の形態(実施例２)のレンズ構成図。
【図３】第３の実施の形態(実施例３)のレンズ構成図。
【図４】第４の実施の形態(実施例４)のレンズ構成図。
【図５】実施例１の収差図。
【図６】実施例２の収差図。
【図７】実施例３の収差図。
【図８】実施例４の収差図。
【符号の説明】
GrF  …前群
GrR  …後群
L1  …第１レンズ
ST  …開口絞り
L2  …第２レンズ
L3  …第３レンズ
L4  …第４レンズ
GF  …ガラスフィルター
AX  …光軸
【図１】
0003695449.tif 000007
【図２】
0003695449.tif 000008
【図３】
0003695449.tif 000009
【図４】
0003695449.tif 000010
【図５】
0003695449.tif 000011
【図６】
0003695449.tif 000012
【図７】
0003695449.tif 000013
【図８】
0003695449.tif 000014